(57)【要約】【課題】必要な洗浄力及び適正範囲にある粘度を有し、食器洗い後の手肌の水分蒸散量増加を抑制できる、食器洗い用洗浄剤組成物を提供する。【解決手段】ポリオキシエチレンアルキルエーテル硫酸塩とコカミドプロピルベタインとアルキルグリコシドと２−エチルヘキシル硫酸塩と水とを含有する食器洗い用洗浄剤組成物であって、該食器洗い用洗浄剤組成物の総量に対して、当該ポリオキシエチレンアルキルエーテル硫酸塩の含有量と当該コカミドプロピルベタインの含有量との合計量が１０質量％以上２０質量％以下であり、当該２−エチルヘキシル硫酸塩の含有量が０．１質量％以上５．０質量％以下であり、当該ポリオキシエチレンアルキルエーテル硫酸塩に対する当該コカミドプロピルベタインの含有比が０．３以上１．０以下である、食器洗い用洗浄剤組成物。【選択図】なし【特許請求の範囲】
【請求項１】
ポリオキシエチレンアルキルエーテル硫酸塩と、コカミドプロピルベタインと、アルキルグリコシドと、２−エチルヘキシル硫酸塩と、水と、を含有する、食器洗い用洗浄剤組成物であって、
前記食器洗い用洗浄剤組成物の総量に対して、前記ポリオキシエチレンアルキルエーテル硫酸塩の含有量と前記コカミドプロピルベタインの含有量との合計量が１０質量％以上２０質量％以下であり、前記２−エチルヘキシル硫酸塩の含有量が０．１質量％以上５．０質量％以下であり、
前記ポリオキシエチレンアルキルエーテル硫酸塩に対する前記コカミドプロピルベタインの含有比が、０．３以上１．０以下である、食器洗い用洗浄剤組成物。
【請求項２】
アルコール化合物の含有量が、前記食器洗い用洗浄剤組成物の総量に対して、１．５質量％以下である、請求項１に記載の食器洗い用洗浄剤組成物。
【発明の詳細な説明】
【技術分野】
【０００１】
本発明は、食器洗い用洗浄剤組成物に関する。
【背景技術】
【０００２】
食器洗いの際に、素手で食器の表面を擦り、「キュキュッ」等という音を発生させることで食器汚れが残存していないことを確かめ、食器の洗浄度を判断する習慣がある。そのため、炊事用手袋を保有していたとしても、素手で食器を洗う人が多い。また、洗浄剤の原液を直接つけたスポンジを用いて食器を洗う習慣があり、洗浄剤に含まれる、高い濃度の界面活性剤組成物が、ぬれた手肌に触れる可能性が高い。よって、食器洗い用洗浄剤は、手肌に対して低刺激であり、かつ必要な洗浄力を有することが要求される。
【０００３】
また、冬季は室内温度が低くなりやすく、特にキッチンは住宅の中でも冷えやすい場所である。よって、食器洗い用洗浄剤は、低温安定性も要求される。
【０００４】
低刺激であることに対し、例えば非特許文献１では、一般的に食器洗い用洗浄剤に使用される陰イオン性界面活性剤であるポリオキシエチレンアルキルエーテル硫酸塩に対し、脂肪酸アミドアルキルベタインなどの両性界面活性剤を添加することで、皮膚の水分蒸散増加を抑制し刺激性を低減できることが開示されている。
【０００５】
また、例えば特許文献１では、粘度抑制剤としてアルコールを添加すると洗浄剤の粘度上昇問題を解決できることが開示されている。他に、特許文献２では、アルコールは粘度抑制剤のほかにも低温安定性を付加する成分として配合できることが開示されている。
【先行技術文献】
【特許文献】
【０００６】
【特許文献１】特許第５０４１１１３号
【特許文献２】特許第２５４０４３５号
【非特許文献】
【０００７】
【非特許文献１】A. Tegila and G. Sechi著、「Minimizing the Cutaneous Effects of Anionic Detergents」、Cosmetics and Toiletries magazine、Vol. 111、August 1996、p 61
【発明の概要】
【発明が解決しようとする課題】
【０００８】
しかしながら、非特許文献１に記載するような洗浄剤組成物は、ポリオキシエチレンアルキルエーテル硫酸塩の添加量に対する脂肪酸アミドアルキルベタインの添加量の割合を増やすと、洗浄剤の粘度が過度に上昇してしまう場合がある。
【０００９】
また、従来の洗浄剤組成物において、ポリオキシエチレンアルキルエーテル硫酸塩に脂肪酸アミドアルキルベタインを添加すると、食器洗い後の手肌の水分蒸散量増加を抑制できるが、粘度が過度に上昇する問題がある。その問題に対して、アルコール類、例えばエタノールを添加することで、組成物の過度な粘度の上昇を抑制できるが、脂肪酸アミドアルキルベタインによる水分蒸散増加の低減効果が相殺されてしまう問題がある。
【００１０】
さらに、化粧料分野の洗浄剤組成物においてはアルコールフリー化による低刺激化が検討されているが、従来の食器洗い用洗浄剤組成物は、界面活性剤濃度が化粧料より高くする必要がある場合が多く、高粘度化を抑制する粘度調整剤としてのアルコールを含ませることが必要である。そのことから、これまで食器洗い用洗浄剤組成物のアルコールフリー化は、ほとんど検討されてきていない。
【００１１】
そこで、本発明は、必要な洗浄力及び適正範囲にある粘度を有し、食器洗い後の手肌の水分蒸散量増加を抑制できる、食器洗い用洗浄剤組成物を提供することを目的とする。
【課題を解決するための手段】
【００１２】
本発明者らは、上記従来技術の課題を解決するために鋭意研究を重ねた結果、ポリオキシエチレンアルキルエーテル硫酸塩と、コカミドプロピルベタインと、アルキルグリコシドと、２−エチルヘキシル硫酸塩と、水と、を含有する食器洗い用洗浄剤組成物であって、当該ポリオキシエチレンアルキルエーテル硫酸塩の含有量と当該コカミドプロピルベタインの含有量との合計量、当該２−エチルヘキシル硫酸塩の含有量、当該ポリオキシエチレンアルキルエーテル硫酸塩に対する当該コカミドプロピルベタインの含有比が、各々特定範囲にある、食器洗い用洗浄剤組成物が、必要な洗浄力及び適正範囲にある粘度を有しながらも、食器洗い後の手肌の水分蒸散量増加を抑制できことを見出し、本発明をなすに至った。
【００１３】
具体的には、
［１］
ポリオキシエチレンアルキルエーテル硫酸塩と、コカミドプロピルベタインと、アルキルグリコシドと、２−エチルヘキシル硫酸塩と、水と、を含有する、食器洗い用洗浄剤組成物であって、
前記食器洗い用洗浄剤組成物の総量に対して、前記ポリオキシエチレンアルキルエーテル硫酸塩の含有量と前記コカミドプロピルベタインの含有量との合計量が１０質量％以上２０質量％以下であり、前記２−エチルヘキシル硫酸塩の含有量が０．１質量％以上５．０質量％以下であり、
前記ポリオキシエチレンアルキルエーテル硫酸塩に対する前記コカミドプロピルベタインの含有比が、０．３以上１．０以下である、食器洗い用洗浄剤組成物。
［２］
アルコール化合物の含有量が、前記食器洗い用洗浄剤組成物の総量に対して、１．５質量％以下である、［１］に記載の食器洗い用洗浄剤組成物。
【発明の効果】
【００１４】
本発明に係る食器洗い用洗浄剤組成物によれば、必要な洗浄力及び適正範囲の粘度が得られ、かつ食器洗い後の手肌の水分蒸散量増加を抑制できる。
【発明を実施するための形態】
【００１５】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１６】
〔食器洗い用洗浄剤組成物〕
本実施形態の食器洗い用洗浄剤組成物（以下、単に「洗浄剤組成物」、「組成物」ともいう。）は、ポリオキシエチレンアルキルエーテル硫酸塩（以下、「ポリオキシエチレンアルキルエーテル硫酸塩（ａ）」、「成分（ａ）」、「（ａ）」ともいう。）と、コカミドプロピルベタイン（以下、「コカミドプロピルベタイン（ｂ）」、「成分（ｂ）」、「（ｂ）」ともいう。）と、アルキルグリコシド（以下、「アルキルグリコシド（ｃ）」、「成分（ｃ）」、「（ｃ）」ともいう。）と、２−エチルヘキシル硫酸塩（以下、「２−エチルヘキシル硫酸塩（ｄ）」、「成分（ｄ）」、「（ｄ）」ともいう。）と、水（以下、「水（ｅ）」、「成分（ｅ）」、「（ｅ）」ともいう。）と、を含有する。また、本実施形態の組成物の総量（１００質量％）に対して、ポリオキシエチレンアルキルエーテル硫酸塩（ａ）の含有量とコカミドプロピルベタイン（ｂ）の含有量との合計量（合計含有量）が１０質量％以上２０質量％以下であり、２−エチルヘキシル硫酸塩（ｄ）の含有量が０．１質量％以上５．０質量％以下である。さらに、ポリオキシエチレンアルキルエーテル硫酸塩（ａ）に対するコカミドプロピルベタイン（ｂ）の含有比が、０．３以上１．０以下である。
【００１７】
＜ポリオキシエチレンアルキルエーテル硫酸塩：成分（ａ）＞
本実施形態の成分（ａ）は、下記一般式（Ｉ）で示される陰イオン性界面活性剤である。
Ｒ1−Ｏ−（ＣＨ2ＣＨ2Ｏ）x−ＳＯ3Ｍ  ・・・（Ｉ）
式（Ｉ）中、Ｒ1はアルキル基を示し、Ｍは金属原子である。
【００１８】
式（Ｉ）中のＲ1のアルキル基の炭素数は、１０以上１８以下であることが好ましい。Ｒ1のアルキル基の炭素数がこのような範囲内にあると、必要な洗浄力と食器洗い後の手肌の水分蒸散量増加の抑制とをより効果的に得られる傾向にある。炭素数は１０以上であることが好ましく、１２以上であるとより好ましい。また、炭素数は１８以下であることが好ましく、１６以下であるとより好ましく、１４以下であるとさらに好ましい。また、Ｒ1のアルキル基の炭素数は、偶数、奇数、又はそれらの混合で構成される。中でも、より優れた生分解性を示すためには、炭素数が偶数のみで構成されることが好ましい。
【００１９】
式（Ｉ）中のＭは、ナトリウム、又はカリウムを示すことが好ましく、ナトリウムを示すことがより好ましい。
【００２０】
式（Ｉ）中のｘは、成分（ａ）各分子のｘの平均値であり、１．０以上３．０以下であると組成物の生分解性が優れる点で好ましく、１．０以上２．５以下であるとより好ましく、１．５以上２．５以下であるとさらに好ましい。
【００２１】
具体的な成分（ａ）としては、特に限定されないが、例えば、ラウリルエーテル硫酸ナトリウムが挙げられる。
【００２２】
成分（ａ）は、１種を単独で用いてもよく、２種以上を併用してもよい。
【００２３】
組成物中の成分（ａ）の含有量は、該組成物の総量（１００質量％）に対して、６．０以上２０質量％以下であることが好ましい。成分（ａ）の含有量が６．０質量％以上であると、例えば洗浄剤組成物が洗浄過程でその濃度が薄まった場合でも、必要な洗浄力を発揮できる濃度をより長く保つことができる傾向にあり、７．０質量％以上であるとより好ましい。成分（ａ）の含有量が２０質量％以下であると、食器洗い後の手肌の水分蒸散量増加を抑制できる傾向にあり、１７質量％以下であるとより好ましく、１３質量％以下であるとさらに好ましい。
【００２４】
＜コカミドプロピルベタイン：成分（ｂ）＞
本実施形態の成分（ｂ）は、下記一般式（ＩＩ）で示される両性界面活性剤である。
Ｒ2−ＣＯＮＨ−（ＣＨ2）3−Ｎ+（ＣＨ3）2−ＣＨ2−ＣＯＯ-  ・・・（ＩＩ）
式（ＩＩ）中、Ｒ2はアルキル基を示す。
【００２５】
式（ＩＩ）中のＲ2の炭素数は、８．０以上２０以下であることが好ましい。Ｒ2の炭素数がこのような範囲内にあると、必要な洗浄力と食器洗い後の手肌の水分蒸散量増加の抑制とをより効果的に得られる傾向にある。式（ＩＩ）中のＲ2の炭素数は、偶数、奇数、又はそれらの混合で構成される。中でも、より優れた生分解性を示すためには、炭素数が偶数のみで構成されることが好ましい。
【００２６】
具体的な成分（ｂ）としては、特に限定されないが、例えば、コカミドプロピルベタインが挙げられる。
【００２７】
成分（ｂ）は、１種を単独で用いてもよく、２種以上を併用してもよい。
【００２８】
組成物中の成分（ｂ）の含有量は、該組成物の総量（１００質量％）に対して、３．０質量％以上１０質量％以下であることが好ましく、このような範囲内にあると、適正な粘度により調整が容易となり、食器洗い後の手肌の水分蒸散量増加をより抑制できる傾向にある。成分（ｂ）の含有量は、３．０質量％以上であると好ましく、４．０質量％以上であるとより好ましく、５．０質量％以上であるとさらに好ましい。
【００２９】
組成物中の成分（ａ）の含有量と成分（ｂ）の含有量との合計量（以下、「合計含有量」、「（ａ）＋（ｂ）」ともいう。）は、該組成物の総量（１００質量％）に対して、１０質量％以上２０質量％以下である。（ａ）＋（ｂ）が１０質量％以上であると、例えば洗浄剤組成物が洗浄過程でその濃度が薄まった場合でも、必要な洗浄力を発揮できる濃度をより長く保つことができ、１１質量％以上であると好ましく、１２質量％以上であるとより好ましい。また、（ａ）＋（ｂ）が２０質量％以下であると、粘度調整剤の添加量を抑えながらも適正な粘度に調整でき、食器洗い後の手肌の水分蒸散量増加を抑制でき、１９質量％以下であると好ましく、１８質量％以下であるとより好ましい。
【００３０】
成分（ａ）の含有量に対する成分（ｂ）の含有量（以下、「（ｂ）／（ａ）」ともいう。）は、０．３以上１．０以下である。（ｂ）／（ａ）が０．３以上であると、必要な洗浄力と食器洗い後の手肌の水分蒸散量増加の抑制とを両方達成でき、０．４以上であると好ましく、０．５以上であるとより好ましい。（ｂ）／（ａ）が１．０以下であると、食器洗い後の手肌の水分蒸散量増加を抑制しながらも、粘度調整剤の添加量を抑え適正な粘度に調整できる。
【００３１】
＜アルキルグリコシド：成分（ｃ）＞
本実施形態の成分（ｃ）は、下記一般式（ＩＩＩ）で示される界面活性剤である。
Ｒ3−（Ｏ−Ｇ）y−ＯＨ  ・・・（ＩＩＩ）
【００３２】
式（ＩＩＩ）中のＲ3の炭素数は、８以上１８以下であり、１０以上１６以下であることが好ましい。Ｒ3の炭素数がこのような範囲内にあると、必要な洗浄力と食器洗い後の手肌の水分蒸散量増加の抑制とを得られる。
【００３３】
式（ＩＩＩ）中のＧはグリコシド基を示し、ｙは、１以上３以下であり、１以上２以下であることが好ましい。ｙがこのような範囲内にあると、必要十分な洗浄力と食器洗い後の手肌の水分蒸散量増加の抑制とを得られる。
【００３４】
具体的な成分（ｃ）としては、特に限定されないが、例えば、ラウリルグルコシドが挙げられる。
【００３５】
成分（ｃ）は、１種を単独で用いてもよく、２種以上を併用してもよい。
【００３６】
組成物中の成分（ｃ）の含有量は、該組成物の総量（１００質量％）に対して、０．１質量％以上５．０質量％以下であることが好ましく、このような範囲内にあると、適正な粘度により容易に調整でき、食器洗い後の手肌の水分蒸散増加量をより抑制できる傾向にある。
【００３７】
＜２−エチルヘキシル硫酸塩：成分（ｄ）＞
本実施形態の成分（ｄ）は、下記一般式（ＩＶ）で示される成分である。
ＣＨ3（ＣＨ2）3ＣＨ（ＣＨ2ＣＨ3）ＣＨ2ＯＳＯ3Ｍ  ・・・（ＩＶ）
式（ＩＶ）中、Ｍは式（Ｉ）中におけるものと同義であり、金属原子を示す。
【００３８】
式（ＩＶ）中のＭも、ナトリウム、又はカリウムを示すことが好ましく、ナトリウムがより好ましい。
【００３９】
具体的な成分（ｄ）としては、特に限定されないが、例えば、２−エチルヘキシル硫酸ナトリウムが挙げられる。２−エチルヘキシル硫酸塩を用いると、適正な粘度により容易に調整でき、低温安定性により優れ、食器洗い後の手肌の水分蒸散量増加をより抑制できる傾向にある。
【００４０】
成分（ｄ）は、１種を単独で用いてもよく、２種以上を併用してもよい。
【００４１】
組成物中の成分（ｄ）の含有量は、該組成物の総量（１００質量％）に対して、０．１質量％以上５．０質量％以下である。成分（ｄ）の含有量がこのような範囲内にあると、適正な粘度に調整でき、低温安定性に優れ、食器洗い後の手肌の水分蒸散量増加を抑制できる。成分（ｄ）の含有量は、０．３質量％以上４．０質量％以下であると好ましく、０．５質量以上３．０質量％以下であるとより好ましい。
【００４２】
＜水：成分（ｅ）＞
本実施形態の成分（ｅ）は、水であれば特に限定されない。
【００４３】
組成物中の成分（ｅ）の含有量は、該組成物の総量（１００質量％）に対して、６０質量％以上９５質量％以下であることが好ましく、７０質量％以上９０質量％以下であるとより好ましい。
【００４４】
＜保存剤：成分（ｆ）＞
本実施形態の組成物は、上述した成分（ａ）、成分（ｂ）、成分（ｃ）、成分（ｄ）及び成分（ｅ）以外にも、保存剤（以下、「成分（ｆ）」、「（ｆ）」ともいう。）をさらに含有していてもよい。
【００４５】
成分（ｆ）としては、特に限定されないが、例えば、ソルビン酸、ソルビン酸カリウム、Ｌ−乳酸、塩化ナトリウム、パラオキシ安息香酸ブチル、パラオキシ安息香酸プロピル、安息香酸ナトリウム、及びプロピオン酸ナトリウムが挙げられる。
【００４６】
成分（ｆ）は、１種を単独で用いてもよく、２種以上を併用してもよい。
【００４７】
組成物中の成分（ｆ）の急性経口毒性（ラットの半数致死量、ＬＤ50、単位：ラットの体重（ｋｇ）あたりの投与重量（ｍｇ））は、２０００ｍｇ／ｋｇ以上であると、組成物の生分解性が優れる点で好ましく、３０００ｍｇ／ｋｇ以上であるとより好ましく、４０００ｍｇ／ｋｇ以上であるとさらに好ましい。
【００４８】
本実施形態において、経口毒性（半数致死量、ＬＤ50）は、化学物質毒性データ総覧（Ｒｅｇｉｓｔｒｙ  ｏｆ  Ｔｏｘｉｃ  Ｅｆｆｅｃｔｓ  ｏｆ  Ｃｈｅｍｉｃａｌ  Ｓｕｂｓｔａｎｃｅｓ，ＲＴＥＣＳ）の値を用いる。
【００４９】
本実施形態の組成物において、アルコール化合物の含有量は、該組成物の総量（１００質量％）に対して、１．５質量％以下であることが好ましい。
【００５０】
上記のアルコール化合物とは、水酸基を有する化合物であれば特に限定されないが、例えば、メタノール、エタノール、プロピルアルコール、イソプロピルアルコール、ブチルアルコール、及びフェノキシエタノールが挙げられる。この中でも、エタノールの含有量が１．５質量％以下であることがより好ましく、１．０質量％以下であることがさらに好ましく、０．５質量％以下であることがよりさらに好ましく、アルコール化合物の含有量が１．５質量％以下であることにより、食器洗い後の手肌の水分蒸散量増加をより抑制できる傾向にある。アルコール化合物の含有量は、例えばガスクロマトグラフィーにより測定できる。
【００５１】
本実施形態の組成物は、上記成分のほかにも、さらに添加剤を含有していてもよい。添加剤としては、特に限定されないが、例えば、香料、色素、及び天然抽出物が挙げられる。
【００５２】
本実施形態の組成物の水分蒸散増加量は、三次元皮膚モデルにおける水分蒸散増加量であり、５．０ｇ／（ｍ2・ｈ）以下であることが好ましく、４．０ｇ／（ｍ2・ｈ）以下であることがより好ましく、３．０ｇ／（ｍ2・ｈ）以下であることがさらに好ましい。
【００５３】
水分蒸散増加量は、恒温恒湿室（温度２３〜２８℃、相対湿度１５〜２５％）にてアサヒバイオメッド社の商品名「ＶＡＰＯＳＣＡＮ」を用いて測定することができる。具体的には、後述する実施例に記載の方法により測定できる。
【００５４】
本実施形態の組成物の粘度は、５０ｍＰａｓ以上２０００ｍＰａｓ以下であることが好ましい。粘度が５０ｍＰａｓ以上であると、例えば食器洗い用スポンジに組成物を使用した際により長くスポンジ上に組成物が留まることができる傾向にある。また、粘度が２０００ｍＰａｓ以下であると、例えば組成物を容器から容易に吐出することができる傾向にある。粘度は５０ｍＰａｓ以上であることが好ましく、８０ｍＰａｓ以上であるとより好ましく、１００ｍＰａｓ以上であるとさらに好ましい。また、２０００ｍＰａｓ以下であることが好ましく、１９００ｍＰａｓ以下であるとより好ましく、１８００ｍＰａｓ以下であるとさらに好ましい。
【００５５】
粘度は、粘度計（ＢＲＯＯＫＦＩＥＬＤ社製のＢ型粘度計ＤＶ−Ｉ  Ｐｒｉｍｅ、スピンドル種類：ＬＶ−２）を用い、２０℃条件下で測定することができる。具体的には、後述する実施例に記載の方法により測定できる。
【００５６】
本実施形態の組成物の生分解性は、ＯＥＣＤテストガイドラインの３０１Ａによる生分解性であり、易分解性の観点から、生分解度が１０％を超えた日から７０％を超えた日まで１０日未満であることが好ましい。また、生分解度が１０％を超えた日から７０％を超えた日まで８日以内であるとより好ましく、７日以内であるとさらに好ましい。生分解性は、後述する実施例に記載の方法により測定できる。
【００５７】
本実施形態の洗浄剤組成物は、各成分の原料を攪拌機により均一に混合して調製することにより得られる。
【実施例】
【００５８】
以下、具体的な実施例及び比較例を挙げて本実施形態をさらに具体的に説明するが、本実施形態はその要旨を超えない限り、これらの実施例と比較例によって何ら限定されるものではない。後述する実施例及び比較例における評価は、以下の方法により評価された。
【００５９】
（評価１）洗浄力
モデル汚れ（総量１００質量％に対して、牛脂１８．８質量％、植物油１４．１質量％、スキムミルク１１．０質量％、小麦粉１８．８質量％、水３７．１質量％、色材０．２質量％）５．０ｇを陶器製皿（玉渕９吋リムミート皿、直径２３．３ｃｍ）にのせ、モデル汚れ皿とした。新品の市販スポンジ（スコッチブライトスポンジたわし、３Ｍ社製）に後述する各洗浄剤組成物２．０ｇと水１５０ｍＬを含ませ、ステンレスボール（直径４５ｃｍ）の中で泡立てた。スポンジに泡をつけた状態で、モデル汚れ皿の表面を時計回りで１０回、反時計回りで１０回洗った。
【００６０】
＜評価基準＞
モデル汚れ皿を洗い続け、上記のステンレスボールに入っている洗浄剤組成物と水との水溶液表面の泡がなくなったとき、それまでに洗浄した皿の枚数を確認し、洗浄剤組成物の洗浄力を下記の基準で評価した。
○：５枚以上
△：３〜４枚
×：２枚以下
【００６１】
（評価２）水分蒸散増加量
三次元皮膚モデル（Ｊ−ＴＥＣ社製商品名「ＥＰＩＭＯＤＥＬ２４」）を用い、ＯＥＣＤ評価方法（ＴＧ４３９）に準拠し、洗浄剤組成物の刺激性を評価した。具体的には、まず、皮膚モデルを、３７℃、ＣＯ2濃度５〜１０％、湿度９０％以上の環境下で２０〜２４時間の前培養を行った。次に、後述する各洗浄剤組成物を純水で２．０質量％に希釈したものを５０μＬ皮膚モデルに１時間適用したのち、ＰＢＳ＋（ＳＩＧＭＡ  ＡＬＤＲＩＣＨ社商品名「Ｄ８６６２」）２５ｍＬで表面を洗浄した。その後、皮膚モデルを３７℃、ＣＯ2濃度５〜１０％、湿度９０％以上環境下で２４時間後培養したあと、恒温恒湿室（温度２３〜２８℃、相対湿度１５〜２５％）にてアサヒバイオメッド社の商品名「ＶＡＰＯＳＣＡＮ」を用いて水分蒸散量（ＴＥＷＬ）を測定した。ブランク（ＰＢＳ＋、ＳＩＧＭＡ  ＡＬＤＲＩＣＨ社商品名「Ｄ８６６２」を適用した皮膚モデル）を基準とし、洗浄剤組成物によるＴＥＷＬ増加量を下記式により計算した。
ＴＥＷＬ増加量＝（組成物のＴＥＷＬ測定値のｎ数が３の平均値）−（ブランクのＴＥＷＬ測定値のｎ数が３の平均値）
【００６２】
＜評価基準＞
上記で計算して得られたＴＥＷＬの増加量から、洗浄剤組成物の水分蒸散増加量を下記の基準で評価した。
◎：ＴＥＷＬの増加量が３．０ｇ／（ｍ2・ｈ）未満
○：ＴＥＷＬの増加量が３．０ｇ／（ｍ2・ｈ）以上４．０ｇ／（ｍ2・ｈ）未満
△：ＴＥＷＬの増加量が４．０ｇ／（ｍ2・ｈ）以上５．０ｇ／（ｍ2・ｈ）未満
×：ＴＥＷＬの増加量が５．０ｇ／（ｍ2・ｈ）以上
【００６３】
（評価３）粘度
洗浄剤組成物を試料として、粘度計（ＢＲＯＯＫＦＩＥＬＤ社製Ｂ型粘度計ＤＶ−Ｉ  Ｐｒｉｍｅ、スピンドル種類：ＬＶ−２）を用い、２０℃条件下で粘度を測定した。
【００６４】
＜評価基準＞
上記で得られた粘度を、洗浄剤組成物の粘度を下記の基準で評価した。
○：５０ｍＰａｓ以上２，０００ｍＰａｓ未満
△：３０ｍＰａｓ超５０ｍＰａｓ未満、又は２，０００ｍＰａｓ以上５，０００ｍＰａｓ未満
×：３０ｍＰａｓ以下、又は５，０００ｍＰａｓ以上
【００６５】
（評価４）低温安定性
洗浄剤組成物を−５℃条件下で１日保管後、２０℃条件下で１時間保管し、その後解凍した。この工程を５回繰り返した。
【００６６】
＜評価基準＞
上記の工程後の洗浄剤組成物の状態を観察し、洗浄剤組成物の低温安定性を下記の基準で評価した。
○：透明であり、状態の変化がなく、一部濁り又は沈殿が未発生
×：一部濁り又は沈殿が発生
【００６７】
（評価５）生分解性
洗浄剤組成物を試料として、ＯＥＣＤテストガイドラインの３０１Ａに従い、生分解度を測定した。
【００６８】
＜評価基準＞
上記で得られた生分解度から、洗浄剤組成物の生分解性を下記の基準で評価した。
◎：生分解度が１０％を超えた日から７０％を超えた日まで７日以内
○：生分解度が１０％を超えた日から７０％を超えた日まで７日超８日以内
△：生分解度が１０％を超えた日から７０％を超えた日まで８日超１０日以内
×：生分解度が１０％を超えた日から７０％を超えた日まで１０日超経過
【００６９】
以下に、表１に示す組成の内容を示す。
ラウリルエーテル硫酸ナトリウム（ＢＡＳＦジャパン株式会社製商品名「ＴＥＸＡＰＯＮ  Ｎ７０」、ラウリルエーテル硫酸ナトリウム含有量７０質量％）
コカミドプロピルベタイン（エボニックジャパン株式会社製商品名「ＴＥＧＯ  ＢＥＴＡＩＮ  Ｆ５０」、コカミドプロピルベタイン含有量３８質量％）
ラウリルグルコシド（ＢＡＳＦジャパン株式会社製商品名「ＧＬＵＣＯＰＯＮ  ＣＳＵＰ６００」、ラウリルグルコシド含有量５０質量％）
２−エチルヘキシル硫酸ナトリウム（ＺＳＣＨＩＭＭＥＲ＆ＳＣＨＷＡＲＺ社製商品名「ＳＵＬＦＥＴＡＭ４１０５」、２−エチルヘキシル硫酸ナトリウム含有量４２質量％）
エタノール（関東化学社製）
安息香酸ナトリウム（関東化学社製）
【００７０】
［実施例１〜４及び比較例１〜７］
表１に示す組成に従って実施例１〜４及び比較例１〜７の洗浄剤組成物を調製し、上述した評価を実施した。結果を表１に併記する。
【００７１】
【表１】
2017110214.tif 000002
表１中、洗浄剤組成物中の各組成の量は質量％で示す。
【産業上の利用可能性】
【００７２】
本発明に係る食器洗い用洗浄剤組成物は、食器洗いの分野で好適に利用できる。